(57)【特許請求の範囲】
【請求項１】
出力対象の音声に関連する画像の表示位置に応じた音声の出力パラメータを取得する主制御部と、
前記出力パラメータに応じて前記出力対象の音声を音声出力装置に出力させる音声制御部と、を備え、
前記画像はデジタルサイネージシステムの画面に表示された広告の画像であり、
前記出力パラメータは、前記音声を聴くユーザが認識する前記音声の出力源の位置を変化させるためのパラメータであり、
前記主制御部は、ユーザに注意を向けさせるべき画像の表示位置に応じた、前記広告に関する音声の出力パラメータを取得する、情報処理装置。
【請求項２】
出力対象の音声に関連する画像の表示位置に応じた音声の出力パラメータを取得する取得ステップと、
前記出力パラメータに応じて前記出力対象の音声を音声出力装置に出力させる出力音声制御ステップと、を有し、
前記画像はデジタルサイネージシステムの画面に表示された広告の画像であり、
前記出力パラメータは、前記音声を聴くユーザが認識する前記音声の出力源の位置を変化させるためのパラメータであり、
前記制御ステップにおいて、ユーザに注意を向けさせるべき画像の表示位置に応じた、前記広告に関する音声の出力パラメータを取得する、
音声出力方法。
【請求項３】
出力対象の音声に関連する画像の表示位置に応じた音声の出力パラメータを取得する主制御部と、
前記出力パラメータに応じて前記出力対象の音声を音声出力装置に出力させる音声制御部と、を備え、
前記画像はデジタルサイネージシステムの画面に表示された広告の画像であり、
前記出力パラメータは、前記音声を聴くユーザが認識する前記音声の出力源の位置を変化させるためのパラメータであり、
前記主制御部は、ユーザに注意を向けさせるべき画像の表示位置に応じた、前記広告に関する音声の出力パラメータを取得する、情報処理装置、としてコンピュータを機能させるためのコンピュータプログラム。
【発明の詳細な説明】
【技術分野】
【０００１】
本発明は、音声を出力する技術に関する。
【背景技術】
【０００２】
従来、様々な分野において、音声を出力する技術が用いられている。例えば、画像の出力に応じて音声を出力する技術が提案されている（例えば特許文献１参照）。より具体的には、遠隔地に位置する他のユーザと画像を伴った会話を可能にするボイスチャット技術がある。
【先行技術文献】
【特許文献】
【０００３】
【特許文献１】特許第５４７８３５７号公報
【発明の概要】
【発明が解決しようとする課題】
【０００４】
しかしながら、ボイスチャットでは、複数の他のユーザと同時に会話しようとすると、複数人の声が混ざってしまい聞き取りにくくなってしまうという問題があった。このように、単純に出力された音声のみによっては、その音声に伴って行われるべきユーザの判断（例えば、画面上に表示された複数の人のうちどの人が発話しているのかについての判断）が遅れてしまうことや、判断が困難になる場合があった。
【０００５】
上記事情に鑑み、本発明は、音声の出力によってユーザの判断をより容易にする技術の提供を目的としている。
【課題を解決するための手段】
【０００６】
本発明の一態様は、出力対象の音声に関連する画像の表示位置に応じた音声の出力パラメータを取得する主制御部と、前記出力パラメータに応じて前記出力対象の音声を音声出力装置に出力させる音声制御部と、を備え、前記出力パラメータは、前記音声を聴くユーザが認識する前記音声の出力源の位置を変化させるためのパラメータである、情報処理装置である。
【０００７】
本発明の一態様は、上記情報処理装置であって、前記音声は、前記ユーザとは異なる発話者の発話内容を表す音声であり、前記画像は、前記発話者を示す画像である。
【０００８】
本発明の一態様は、上記情報処理装置であって、前記音声は、前記ユーザとネットワークを介して対話する発話者が発話した音声である。
【０００９】
本発明の一態様は、上記情報処理装置であって、前記主制御部は、複数の音声について、それぞれ異なる出力パラメータを取得し、前記音声制御部は、前記複数の音声を同時に出力させる。
【００１０】
本発明の一態様は、上記情報処理装置であって、前記主制御部は、異常が生じた監視対象の画像の表示位置に応じた音声の出力パラメータを取得する。
【００１１】
本発明の一態様は、上記情報処理装置であって、前記主制御部は、ユーザに注意を向けさせるべき画像の表示位置に応じた音声の出力パラメータを取得する。
【００１２】
本発明の一態様は、出力対象の音声に関連する画像の表示位置に応じた音声の出力パラメータを取得する取得ステップと、前記出力パラメータに応じて前記出力対象の音声を音声出力装置に出力させる出力音声制御ステップと、を有し、前記出力パラメータは、前記音声を聴くユーザが認識する前記音声の出力源の位置を変化させるためのパラメータである、音声出力方法である。
【００１３】
本発明の一態様は、出力対象の音声に関連する画像の表示位置に応じた音声の出力パラメータを取得する主制御部と、前記出力パラメータに応じて前記出力対象の音声を音声出力装置に出力させる音声制御部と、を備え、前記出力パラメータは、前記音声を聴くユーザが認識する前記音声の出力源の位置を変化させるためのパラメータである、情報処理装置、としてコンピュータを機能させるためのコンピュータプログラムである。
【発明の効果】
【００１４】
本発明により、音声の出力によってユーザの判断をより容易にすることが可能となる。
【図面の簡単な説明】
【００１５】
【図１】音声出力システム１のシステム構成を表すシステム構成図である。
【図２】主制御部３０１が音声データの出力処理の流れの第一の具体例を示すフローチャートである。
【図３】主制御部３０１が音声データの出力処理の流れの第二の具体例を示すフローチャートである。
【図４】テレビ会話システムの画像出力装置２０の画面の具体例を示す図である。
【図５】出力位置情報テーブルの具体例を示す図である。
【図６】出力パラメータテーブルの具体例を示す図である。
【図７】監視システムの画像出力装置２０の画面の具体例を示す図である。
【図８】出力パラメータテーブルの具体例を示す図である。
【図９】音声モニタリングシステムの画像出力装置２０の画面の具体例を示す図である。
【図１０】出力パラメータテーブルの具体例を示す図である。
【図１１】ＷＥＢシステムにおいて表示されるＷＥＢサイトの具体例を示す図である。
【発明を実施するための形態】
【００１６】
図１は、音声出力システム１のシステム構成を表すシステム構成図である。音声出力システム１は、音声出力装置１０、画像出力装置２０及び制御装置３０を備える。
音声出力装置１０は、スピーカー等の音声を出力する装置である。
画像出力装置２０は、ＣＲＴ（Cathode Ray Tube）ディスプレイ、液晶ディスプレイ、有機ＥＬ（Electro Luminescence）ディスプレイ等の画像を出力する装置である。
【００１７】
制御装置３０は、出力すべき音声を示す音声データと、出力すべき画像を示す画像データと、を取得する。制御装置３０は、取得された音声データを音声出力装置１０に出力させる。制御装置３０は、取得された画像データを画像出力装置２０に出力させる。
制御装置３０は、音声データを音声出力装置１０に対して出力させる際に、所定の条件に応じて、指向性を生じさせる。音声の指向性とは、音声を聴くユーザが認識する音声の出力源（以下、「仮想出力源」という。）の位置を、所定の条件に応じて変化させることが可能であることを示す。音声の指向性は、例えば離れて位置する複数の音声出力装置において、同じ音声を異なるタイミングで（遅延を生じさせて）出力することによって生じさせることが可能である。例えば、１台のパーソナルコンピュータに接続された（又は設けられた）複数のスピーカーにおいて、同じ音声を異なるタイミングで出力することによって、音声に指向性を生じさせることが可能である。制御装置３０は、所定の条件に応じて、音声の指向性を変化させる。言い換えると、制御装置３０は、所定の条件に応じて、仮想出力源の位置を変化させる。
【００１８】
制御装置３０について詳細に説明する。
制御装置３０は、バスで接続されたＣＰＵ（Central Processing Unit）やメモリや補助記憶装置などを備え、制御プログラムを実行する。制御装置３０は、制御プログラムの実行によって、主制御部３０１、音声制御部３０２及び表示制御部３０３を備える装置として機能する。なお、制御装置３０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。
【００１９】
制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。制御プログラムは、電気通信回線を介して送信されても良い。
【００２０】
主制御部３０１は、音声データ及び画像データを取得する。主制御部３０１は、取得された音声データの属性情報をさらに取得する。属性情報とは、音声の属性を示す情報である。属性情報は、例えば音声の発声主を示すユーザＩＤ、音声が関連づけられている装置を示す装置ＩＤ、音声が関連づけられているＷＥＢページ内のアイテムを示すアイテムＩＤ、音声が関連づけられているウィンドウ内の相対的位置、である。
【００２１】
主制御部３０１は、属性情報に基づいて、出力位置情報を取得する。出力位置情報は、仮想出力源に関連する情報である。出力位置情報は、例えば画像出力装置２０の画面内の二次元座標を示す情報、画像出力装置２０に表示される三次元画像内の三次元座標を示す情報、である。
【００２２】
主制御部３０１は、出力位置情報に基づいて、出力パラメータを取得する。出力パラメータは、出力位置情報に応じた仮想出力源から音声がユーザに聞こえるように音声出力装置１０を制御するための情報である。出力パラメータと出力位置情報とは１対１で対応付けて予め主制御部３０１によって記憶されていてもよい。
【００２３】
音声制御部３０２は、主制御部３０１によって取得された出力パラメータで、主制御部３０１によって取得された音声データを音声出力装置１０に出力させる。
表示制御部３０３は、主制御部３０１によって取得された画像データを画像出力装置２０に出力させる。
【００２４】
図２は、主制御部３０１が音声データの出力処理の流れの第一の具体例を示すフローチャートである。主制御部３０１は、出力の対象となっている音声データの属性情報を取得する（ステップＳ１０１）。次に、主制御部３０１は、ステップＳ１０１において取得された属性情報に基づいて出力パラメータを取得する（ステップＳ１０２）。そして、主制御部３０１は、出力の対象となっている音声データを、ステップＳ１０２において取得された出力パラメータで出力することを音声制御部３０２に指示する（ステップＳ１０３）。
【００２５】
図３は、主制御部３０１が音声データの出力処理の流れの第二の具体例を示すフローチャートである。主制御部３０１は、出力の対象となっている音声データの属性情報を取得する（ステップＳ１１１）。次に、主制御部３０１は、ステップＳ１１１において取得された属性情報に基づいて、出力位置情報を取得する（ステップＳ１１２）。次に、主制御部３０１は、ステップＳ１１２において取得された出力位置情報に基づいて出力パラメータを取得する（ステップＳ１１３）。そして、主制御部３０１は、出力の対象となっている音声データを、ステップＳ１１３において取得された出力パラメータで出力することを音声制御部３０２に指示する（ステップＳ１１４）。
【００２６】
第一の具体例では、属性情報と出力パラメータとが予め対応付けて主制御部３０１に記憶されている。第一の具体例は、各属性の音声の指向性（出力源）が固定的に決められている場合に用いられる処理である。
【００２７】
第二の具体例では、属性情報と出力位置情報とが対応付けて主制御部３０１に記憶されている。また、出力位置情報と出力パラメータとが対応付けて主制御部３０１に記憶されている。第二の具体例では、属性情報と出力位置情報との対応付けを変更することによって、属性情報と出力パラメータとの関係を容易に変更することが可能となる。第二の具体例は、各属性の音声の指向性（出力源）が変化する場合に用いられる処理である。
次に、音声出力システム１の具体的な適用例について説明する。
【００２８】
［第一適用例：テレビ会話システム］
テレビ会話システムに適用された音声出力システム１について説明する。出力される音声データは、テレビ会話システムによって出力される音声を聴くユーザとネットワークを介して対話する対話者が発話した音声である。出力される画像データは、対話者を示す画像である。
【００２９】
図４は、テレビ会話システムの画像出力装置２０の画面の具体例を示す図である。図４の例では、ユーザは４人の対話者と対話している。画面には、複数の対話者を示す画像４０１〜４０４が表示される。図４の例では、画像４０１〜４０４として、各対話者の顔をカメラで写すことによって得られる動画像が表示される。画像４０１〜４０４に表示される画像は、各対話者の顔の動画像に限定されない。例えば、各対話者の顔の静止画像であってもよいし、各対話者を示す文字であってもよい。
【００３０】
図５は、出力位置情報テーブルの具体例を示す図である。図５に示される出力位置情報テーブルは、主制御部３０１によって記憶される。出力位置情報テーブルは、ユーザＩＤと出力位置情報とを対応付けた複数のレコードを有する。ユーザＩＤは、対話者の識別情報である。テレビ会話システムでは、各対話者の発話内容を表す音声データの属性情報として、各対話者のユーザＩＤをもつ。出力位置情報は、画像出力装置２０の画面において、ユーザＩＤが示す対話者の画像が表示される位置を示す。
【００３１】
例えば、図５の１番上のレコードは、ユーザＩＤが“Ａ１”である対話者の顔の動画像が画面の左上の位置（図４の画像４０１の位置）に表示されることを示す。図５の上から２番目のレコードは、ユーザＩＤが“Ａ２”である対話者の顔の動画像が画面の右上の位置（図４の画像４０２の位置）に表示されることを示す。図５の上から３番目のレコードは、ユーザＩＤが“Ａ３”である対話者の顔の動画像が画面の左下の位置（図４の画像４０３の位置）に表示されることを示す。図５の上から４番目のレコードは、ユーザＩＤが“Ａ４”である対話者の顔の動画像が画面の右下の位置（図４の画像４０４の位置）に表示されることを示す。
【００３２】
主制御部３０１は、各対話者の発話内容を表す音声データを、ネットワークを介して受信することによって取得する。音声データは、対話者を示す識別情報とともに受信される。音声データとともに受信される識別情報は、例えば対話者が操作している装置に割り当てられているＩＰアドレスであってもよいし、上記装置のＭＡＣアドレスであってもよい。主制御部３０１は、取得された識別情報に基づいて、対話者のユーザＩＤ（属性情報）を取得する。主制御部３０１は、出力位置情報テーブルを参照することによって、対話者のユーザＩＤに応じた出力位置情報を取得する。
【００３３】
図６は、出力パラメータテーブルの具体例を示す図である。図６に示される出力パラメータテーブルは、主制御部３０１によって記憶される。出力パラメータテーブルは、出力位置情報と出力パラメータとを対応付けた複数のレコードを有する。出力パラメータは、音声を聴くユーザが認識する音声の出力源の位置を制御するためのパラメータである。すなわち、出力パラメータは、出力位置情報によって示される位置が音声の出力源となるような指向性を音声に持たせるためのパラメータである。出力パラメータは、例えば左右に配置された音声出力装置１０の出力タイミングとして定義されてもよい。
【００３４】
例えば、図６の１番上のレコードは、出力対象の音声データの出力位置情報が左上である場合には、出力パラメータがＰａ１であることを示す。図６の上から２番目のレコードは、出力対象の音声データの出力位置情報が右上である場合には、出力パラメータがＰａ２であることを示す。図６の上から３番目のレコードは、出力対象の音声データの出力位置情報が左下である場合には、出力パラメータがＰａ３であることを示す。図６の上から４番目のレコードは、出力対象の音声データの出力位置情報が右下である場合には、出力パラメータがＰａ４であることを示す。
【００３５】
主制御部３０１は、出力パラメータテーブルを参照することによって、出力対象の音声データの出力位置情報に応じた出力パラメータを取得する。
このように構成されたテレビ会話システムでは、対話者の画像が表示された位置に応じた指向性をもって音声データが出力される。例えば、図４の画面において、画像４０１の対話者の発話内容を表す音声は、左上方向（例えば、画面の画像４０１の位置）に出力源があるかのように出力される。図４の画面において、画像４０２の対話者の発話内容を表す音声は、右上方向（例えば、画面の画像４０２の位置）に出力源があるかのように出力される。このように音声が出力されることにより以下のような効果が得られる。
【００３６】
一般的に、複数人が同時に話した音声が一つの出力源から出力されると（すなわち、モノラル音声で出力されると）、人が聞き分けることは難しい。そのため、特にモノラル音声で音声データが生成される場合、テレビ会話システムでは１対１で会話が行われることが多い。一方、カクテルパーティー効果として説明されているように、複数人が同時に話した音声であっても、各音声の出力源が異なる場合には、人はその中から自身が望む音声を聞き分けることが可能である。上述したテレビ会話システムでは、複数の対話者の音声が、それぞれ異なる出力源から聞こえるように出力される。そのため、たとえモノラル音声が用いられたとしても、ユーザは複数人が同時に話した音声を聞き分けることが可能となる。
【００３７】
また、ユーザが対話者の声が誰の声であるのかを聞き分けることができなくても、画面に表示された画像の位置に応じた出力源から音声が出力されるため、出力源に基づいてどの対話者の声であるのかを判断することが可能となる。
【００３８】
＜変形例＞
音声データとともに受信される識別情報は、対話者を示すユーザＩＤであってもよい。
対話者の人数は４人に限定されない。例えば３人であってもよいし、５人以上であってもよい。
画像出力装置２０を用いることなく、画像の出力を伴わない会話システムとして適用されてもよい。このように構成された場合であっても、ユーザは複数人が同時に話した音声を聞き分けることが可能となるという効果は得られる。
【００３９】
［第二適用例：監視システム］
監視システムに適用された音声出力システム１について説明する。出力される音声データは、異常が生じたことを示すアラーム音である。音声データの種類は１種類であってもよいし、複数種類であってもよい。出力される画像データは、監視対象を示す画像である。監視対象は、装置であってもよいし施設であってもよい。監視システムは、監視対象に設けられたセンサから状態値を取得し、状態値に基づいて異常が生じたか否かを判定する。異常が生じた場合、異常が生じた監視対象に応じた音声が出力される。
【００４０】
図７は、監視システムの画像出力装置２０の画面の具体例を示す図である。図７の例では、監視対象となっている装置は８つであり、各装置は１以上の他装置と通信線で接続されている。画面には、複数の監視対象を示す画像５０１〜５０８が表示される。図７の例では、画像５０１〜５０８として、各監視対象を表す画像が表示される。画像５０１〜５０８として表示される画像は、正常であると判断された場合に表示される画像と、異常が生じていると判断された場合に表示される画像とが異なっても良い。
【００４１】
図８は、出力パラメータテーブルの具体例を示す図である。図８に示される出力パラメータテーブルは、主制御部３０１によって記憶される。出力パラメータテーブルは、監視対象ＩＤと出力パラメータとを対応付けた複数のレコードを有する。監視対象ＩＤは、監視対象の識別情報である。監視システムでは、異常が生じた際に出力される音声データの属性情報として、各監視対象の監視対象ＩＤをもつ。なお、複数の監視対象において、異常が生じた際に出力される音声が共通している場合、一つの音声データに対して複数の属性情報が付与されても良い。
【００４２】
本実施形態における監視システムでは、各監視対象の画像が表示される画面内の位置は固定的に定義されている。そのため、各監視対象において異常が生じた際に出力される音声の出力源の位置は変化しない。したがって、本実施形態における監視システムは、出力位置情報を用いることなく第一の具体例の処理で実装することが可能である。
【００４３】
例えば、監視対象が非常に多数であり変化した画像を探すことが困難である場合や、画像出力装置２０の画面が非常に大きく一度に全体を視認することが困難である場合には、ユーザは、異常の発生を示す音声が出力されたとしてもどの監視対象において異常が発生したのか容易には判断できない。このような問題に対し、本実施形態の監視システムでは、画面に表示された監視対象の画像の位置に応じた出力源から異常を示す音声が出力される。そのため、ユーザは、どの監視対象において異常が生じたのかを、より容易により早く判断することが可能となる。
【００４４】
＜変形例＞
各監視対象の画像が表示される画面内の位置が変化するように構成されてもよい。この場合、各監視対象の識別情報と出力位置情報とを対応付けたテーブルが必要となる。このようなテーブルは、他の情報処理装置から取得されてもよいし、ユーザによって設定されてもよいし、他の方法によって取得されてもよい。
【００４５】
［第三適用例：音声モニタリングシステム］
音声モニタリングシステムに適用された音声出力システム１について説明する。出力される音声データは、モニタリングの対象となっている発話者が発話した音声である。出力される画像データは、発話者を示す画像である。
図９は、音声モニタリングシステムの画像出力装置２０の画面の具体例を示す図である。図９の例では、１６人の発話者がモニタリングの対象となっている。画面には、複数の発話者を示す画像６０１〜６１６が表示される。図９の例では、画像６０１〜６１６として、各発話者の顔をカメラで写すことによって得られる動画像が表示される。画像６０１〜６０１に表示される画像は、各発話者の顔の動画像に限定されない。例えば、各発話者の顔の静止画像であってもよいし、各発話者を示す文字であってもよい。
【００４６】
図１０は、出力パラメータテーブルの具体例を示す図である。図１０に示される出力パラメータテーブルは、主制御部３０１によって記憶される。出力パラメータテーブルは、オペレータＩＤと出力パラメータとを対応付けた複数のレコードを有する。オペレータＩＤは、オペレータの識別情報である。音声モニタリングシステムでは、出力される音声データの属性情報として、各オペレータのオペレータＩＤをもつ。
【００４７】
本実施形態における音声モニタリングシステムでは、各オペレータの画像が表示される画面内の位置は固定的に定義されている。そのため、各オペレータの音声の出力源の位置は変化しない。したがって、本実施形態における音声モニタリングシステムは、出力位置情報を用いることなく第一の具体例の処理で実装することが可能である。
【００４８】
主制御部３０１は、所定数の複数の発話者の音声を、それぞれ異なる指向性を持たせて同時に出力する。主制御部３０１は、音声が出力される発話者を、所定のタイミング（例えば、音声が出力されてから１０秒後）で変更する。例えば、最初のタイミングでは、主制御部３０１は、最初の発話者の組み合わせ（例えば画像６０１〜６０４の発話者）の発話内容の音声データを同時に出力する。音声データの出力開始から所定時間（例えば１０秒）が経過すると、主制御部３０１は、次の発話者の組み合わせ（例えば画像６０５〜６０８の発話者）の発話内容の音声データを同時に出力する。音声データの出力開始から所定時間が経過すると、主制御部３０１は、次の発話者の組み合わせ（例えば画像６０９〜６１２の発話者）の発話内容の音声データを同時に出力する。このような処理を主制御部３０１が繰り返し実行することによって、発話者全員の発話内容をモニタリングすることが可能となる。
【００４９】
なお、主制御部３０１は、発話内容の音声データが出力されている発話者の画像を、発話内容の音声データが出力されていない発話者の画像と異なる態様で表示しても良い。例えば、主制御部３０１は、発話内容の音声データが出力されている発話者の画像に対して太い枠を設けて表示させても良い。
【００５０】
例えば、オペレータが非常に多数である場合には、一人ずつ音声をモニタリングすると、全員の音声のモニタリングを完了させるまでに多くの時間を要してしまう。このような問題に対し、本実施形態の音声モニタリングシステムでは、複数の発話者の音声が同時に出力される。その際に、各音声は画像の位置に応じて異なる出力源から聞こえるように出力される。そのため、ユーザは、上述したカクテルパーティー効果により複数の声を同時に聞き分けながらモニタリングすることが可能となる。したがって、全員のモニタリングを完了させるまでの時間を短縮することが可能となる。
【００５１】
＜変形例＞
各オペレータの画像が表示される画面内の位置が変化するように構成されてもよい。この場合、各オペレータの識別情報と出力位置情報とを対応付けたテーブルが必要となる。このようなテーブルは、他の情報処理装置から取得されてもよいし、ユーザによって設定されてもよいし、他の方法によって取得されてもよい。
【００５２】
［第四適用例：ＷＥＢシステム］
ＷＥＢシステムに適用された音声出力システム１について説明する。出力される音声データは、ＷＥＢサイトにおいて予め定義された音声データである。出力される画像データは、ＷＥＢサイトにおいて予め定義された画像である。
【００５３】
主制御部３０１は、属性情報として、出力される音声が対応付けられた画像の画面内の位置を取得する。主制御部３０１は、取得された画面内の位置に応じて、出力パラメータを取得する。画面内の位置と出力パラメータの値との関係は、予め数式によって定義されてもよい。この場合、画面内の位置と出力パラメータの値との関係を表す数式を、主制御部３０１は予め記憶している。
【００５４】
図１１は、ＷＥＢシステムにおいて表示されるＷＥＢサイトの具体例を示す図である。このＷＥＢサイトでは、氏名を入力する入力枠７０１、住所を入力する入力枠７０２、職業を入力する入力枠７０３が表示される。入力内容に誤りがあった場合、主制御部３０１は、入力内容に誤りがあった入力枠の画面内での位置を示す位置情報を取得する。主制御部３０１は、例えば以下のように入力枠の位置情報を取得する。まず、主制御部３０１は、ＷＥＢサイトの情報を示すウィンドウ７０内における入力枠の位置情報（例えば、ウィンドウ７０の左上端を原点とした入力枠の左上端の位置情報）を取得する。次に、主制御部３０１は、画像出力装置２０の画面内におけるウィンドウ７０の位置情報（例えば、ウィンドウ７０の左上端の位置の画面内での座標）を取得する。主制御部３０１は、取得された２つの情報に基づいて、画面内での入力枠の位置情報を取得する。
【００５５】
主制御部３０１は、取得された位置情報（属性情報）に基づいて、出力パラメータの値を取得する。氏名を入力する入力枠７０１において誤りがあった場合、その時点で入力枠７０１が表示されている場所が出力源となるようにエラー音が出力される。住所を入力する入力枠７０２において誤りがあった場合、その時点で入力枠７０２が表示されている場所が出力源となるようにエラー音が出力される。職業を入力する入力枠７０３において誤りがあった場合、その時点で入力枠７０３が表示されている場所が出力源となるようにエラー音が出力される。
【００５６】
出力される音声の例として、入力枠に対応付けられたエラー音が挙げられたが、出力される音声はこの例に限定されない。例えば、広告の静止画像（例えば広告バナー）や広告の動画像に対応付けられた音声が出力されても良い。この場合、広告の画像が表示されている位置を出力源して音声が聞こえるように、広告の音声が出力される。例えば、チュートリアルに含まれるボタン等の画像に対応付けられた音声が出力されても良い。この場合、例えば次に操作されるべきボタンの画像が表示されている位置を出力源として音声が聞こえるように、ボタンに対応付けられた音声が出力される。
【００５７】
このように構成されたＷＥＢシステムでは、ＷＥＢサイトに多数の情報や画像が表示されている場合であっても、ユーザに注意を向けさせるべき位置を出力源として音声が出力される。そのため、ユーザに注意を向けさせるべき位置への自然な視線誘導が可能となる。
【００５８】
＜変形例＞
出力される音声及び画像は、ＷＥＢの音声及び画面に限定されない。例えば、デジタルサイネージシステムに適用されることによって、広告に関する音声及び画像が出力されてもよい。例えば、ＷＥＢではなくアプリケーションとして作成されたチュートリアルで、上述したような音声及び画像の出力がなされてもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００５９】
１…音声出力システム，  １０…音声出力装置，  ２０…画像出力装置，  ３０…制御装置，  ３０１…主制御部，  ３０２…音声制御部，  ３０３…表示制御部
【図１】
0006456163.tif 000002
【図２】
0006456163.tif 000003
【図３】
0006456163.tif 000004
【図４】
0006456163.tif 000005
【図５】
0006456163.tif 000006
【図６】
0006456163.tif 000007
【図７】
0006456163.tif 000008
【図８】
0006456163.tif 000009
【図９】
0006456163.tif 000010
【図１０】
0006456163.tif 000011
【図１１】
0006456163.tif 000012